(57)【要約】【課題】ブログ等をまとめたＷＥＢサイトの価値を向上する活動を遅滞なく適切に反映して、ユーザへの利益の配分を実行するＷＥＢサイトの管理用サーバ、管理方法及び管理プログラムを提供すること。【解決手段】管理用サーバ６は、ＷＥＢサイトに設けられた広告の実施を示す情報を受け付けたことに応じて、当該実施した広告の広告料の所定割合を実現価値として記憶し、ユーザの所定の活動を示す情報を受信したことに応じてマイルを付与し、実現価値の残高による分配価値総額の残高を、マイルの総数に応じて分配する。【選択図】図６
2011138430.tif 000002
【特許請求の範囲】
【請求項１】
通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、前記実施をした広告の広告料の所定割合を実現価値として記憶する実現価値記憶部と、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶する活動単位付与部と、
前記活動単位付与部が前記所定の活動単位を付与する直前の前記実現価値の残高を分配価値総額として算出する分配価値総額算出部と、
前記活動単位付与部が前記所定の活動単位を付与する直前の前記活動単位の残高に前記活動単位付与部が付与する前記所定の活動単位を加えて分配活動単位総数として算出する分配活動単位総数算出部と、
前記分配価値総額算出部が算出した前記分配価値総額を、前記分配活動単位総数算出部が算出した前記分配活動単位総数に基づいて分配することにより、前記活動単位の評価額を算出して記憶する活動単位評価額算出部とを備えるＷＥＢサイトの管理用サーバ。
【請求項２】
前記活動単位評価額算出部が算出した前記活動単位の評価額を示す情報を公衆が閲覧可能な状態で記憶する情報公開部をさらに備える請求項１に記載のＷＥＢサイトの管理用サーバ。
【請求項３】
前記ユーザから、前記ユーザ識別情報に関連付けて記憶した前記活動単位の一部又は全部について、現金として使用可能又は現金に換金可能な現金相当物への、交換希望を受け付けたことに応じて、前記交換希望を受け付ける直前の前記活動単位の評価額よりも低い価値の交換レートにより算出した金額を前記実現価値の残高から減じると共に前記活動単位の数を前記分配活動単位総数から控除する活動単位減少交換部をさらに備える請求項１又は請求項２に記載のＷＥＢサイトの管理用サーバ。
【請求項４】
前記ユーザから、現金として使用可能又は現金に換金可能な現金相当物について、前記活動単位への、交換希望を受け付けたことに応じて、交換を希望する金額を前記実現価値の残高に加えると共に、前記交換希望を受け付ける直前の前記活動単位の評価額よりも高い価値の交換レートにより算出した前記活動単位の数を前記分配活動単位総数に追加する活動単位増加交換部をさらに備える請求項１から請求項３のいずれかに記載のＷＥＢサイトの管理用サーバ。
【請求項５】
前記実現価値記憶部は、前記ＷＥＢサイトにおける前記ユーザの活動履歴に基づいて作成される分析レポートの販売を示す情報を、前記販売の販売価格を示す情報と共に受け付けたことに応じて、前記分析レポートの前記販売価格の所定割合を前記実現価値に加えて記憶する請求項１から請求項４のいずれかに記載のＷＥＢサイトの管理用サーバ。
【請求項６】
管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の所定割合を実現価値として記憶する実現価値記憶ステップと、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶する活動単位付与ステップと、
前記活動単位付与ステップにおいて、前記管理用サーバが前記所定の活動単位を付与する直前の前記実現価値の残高を分配価値総額として算出する分配価値総額算出ステップと、
前記活動単位付与ステップにおいて、前記管理用サーバが前記所定の活動単位を付与する直前の前記活動単位の残高に前記管理用サーバが付与する前記所定の活動単位を加えて分配活動単位総数として算出する分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶する活動単位評価額算出ステップとを含む管理方法。
【請求項７】
通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、前記実施をした広告の広告料の所定割合を実現価値として記憶させる実現価値記憶ステップと、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶させる活動単位付与ステップと、
前記活動単位付与ステップにおいて、前記管理用サーバが前記所定の活動単位を付与する直前の前記実現価値の残高を分配価値総額として算出させる分配価値総額算出ステップと、
前記活動単位付与ステップにおいて、前記管理用サーバが前記所定の活動単位を付与する直前の前記活動単位の残高に前記管理用サーバが付与する前記所定の活動単位を加えて分配活動単位総数として算出させる分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶させる活動単位評価額算出ステップとを実行させる管理プログラム。
【発明の詳細な説明】
【技術分野】
【０００１】
本発明は、ＷＥＢサイトの管理用サーバ、管理方法及び管理プログラムに関する。
【背景技術】
【０００２】
従来、アフィリエイトと呼ばれるユーザ参加型の広告活動が知られている。ここでアフィリエイトは、ＷＥＢサイト上のブログ等を用いた広告活動である。この場合、アフィリエイトでは、ユーザが自らブログを執筆し、当該ブログの一部をバナー広告等の広告エリアとして広告主に提供する。アフィリエイトでは、当該広告エリアの広告に対してブログの閲覧者が事前に取り決めた一定の行動を取ると、広告主からユーザに広告料が支払われる。なおこのユーザはアフィリエイターと呼ばれる。またこの一定の行動は、例えば広告の表示、広告のクリックによる広告主のホームページの閲覧、この広告による商品の購入等である。
【０００３】
このような広告活動に関して、特開２００９−２９４７７６号公報には利益の配分方法が提案されている。
【先行技術文献】
【特許文献】
【０００４】
【特許文献１】特開２００９−２９４７７６号公報
【発明の概要】
【発明が解決しようとする課題】
【０００５】
しかしながら従来のアフィリエイトでは、この種のブログ等をまとめたＷＥＢサイトの価値の向上に応じて、広告による利益の配分が適切に実行されていない問題がある。
【０００６】
すなわち従来のアフィリエイトでは、ブログを執筆して当該ＷＥＢサイトの価値向上に係る行為を行ってから、このブログの執筆による広告料の支払いを受けるまで、数十日以上の期間を要することが多い。より具体的に、従来のアフィリエイトでは、ブログをＷＥＢサイトにアップロードした後、少なくとも閲覧者がブログを訪問して上述した一定の行動を行うまで、広告料の支払いを待つ必要がある。なお商品の購入により広告料の支払いを受ける場合には、クーリングオフ期間が経過して売り上げが確定するまで待つ場合もある。
【０００７】
ユーザがこのようなＷＥＢサイトの価値を向上する行為を行っても、広告料が得られるまでに長期の期間を要する場合には、ユーザの活動意欲を停滞させ、結局、ＷＥＢサイトの価値を低下させることもある。
【０００８】
またさらに特定のブロガーが積極的にブログを更新してＷＥＢサイト全体のページビューが大きく伸びたとしても、従来のアフィリエイトでは、あくまで広告が掲載されたページを提供したブロガーが広告料を得ることになるので、この特定ブロガーの積極的な活動が必ずしもこのブロガーに対する広告料の支払いに反映されないことになる。従ってこの場合も、ユーザの活動意欲を停滞させ、結局、ＷＥＢサイトの価値を低下させることになる。
【０００９】
このような状況において、特許文献１には、特定の一次コンテンツから作成された副次的なコンテンツにかかる収益を一次コンテンツのクリエイターに配分する方法が記載されているが、ＷＥＢサイトの価値を向上する行為を行ったブロガー等を含むユーザへの利益配分については何ら記載されていない。
【課題を解決するための手段】
【００１０】
そこで本発明は、ブログ等をまとめたＷＥＢサイトの価値を向上する活動を遅滞なく適切に反映して、ユーザへの利益の配分を実行するＷＥＢサイトの管理用サーバ、管理方法及び管理プログラムを提供することを目的とする。
【００１１】
本発明は、具体的には次のようなものを提供する。
【００１２】
（１）  通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、前記実施をした広告の広告料の所定割合を実現価値として記憶する実現価値記憶部と、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶する活動単位付与部と、
前記活動単位付与部が前記所定の活動単位を付与する直前の前記実現価値の残高を分配価値総額として算出する分配価値総額算出部と、
前記活動単位付与部が前記所定の活動単位を付与する直前の前記活動単位の残高に前記活動単位付与部が付与する前記所定の活動単位を加えて分配活動単位総数として算出する分配活動単位総数算出部と、
前記分配価値総額算出部が算出した前記分配価値総額を、前記分配活動単位総数算出部が算出した前記分配活動単位総数に基づいて分配することにより、前記活動単位の評価額を算出して記憶する活動単位評価額算出部とを備えるＷＥＢサイトの管理用サーバ。
【００１３】
本発明のこのような構成を備えることにより、当該管理用サーバは、ＷＥＢサイトに係るユーザの活動に応じて、対応する活動単位を付与し、当該付与する際に算出した評価値に基づいて当該ＷＥＢサイトの広告料を確実にユーザに分配することができる。従って、当該ユーザは迅速に自らの活動に基づいて利益の配分を得て、以ってＷＥＢサイトの価値を向上する活動に対してインセンティブを得ることができる。
【００１４】
（２）  前記活動単位評価額算出部が算出した前記活動単位の評価額を示す情報を公衆が閲覧可能な状態で記憶する情報公開部をさらに備える（１）に記載のＷＥＢサイトの管理用サーバ。
【００１５】
本発明のこのような構成を備えることにより、当該管理用サーバは、当該所定の活動単位の評価額に公開する。このことにより、ユーザは、自らが所有する当該所定の活動単位の価値を、随時知ることができる。そして、当該ユーザは、所定の活動により当該ＷＥＢサイトの分配価値総額を高めると共に、さらに所定の活動単位の付与を受けるインセンティブを得ることができる。
【００１６】
（３）  前記ユーザから、前記ユーザ識別情報に関連付けて記憶した前記活動単位の一部又は全部について、現金として使用可能又は現金に換金可能な現金相当物への、交換希望を受け付けたことに応じて、前記交換希望を受け付ける直前の前記活動単位の評価額よりも低い価値の交換レートにより算出した金額を前記実現価値の残高から減じると共に前記活動単位の数を前記分配活動単位総数から控除する活動単位減少交換部をさらに備える（１）又は（２）に記載のＷＥＢサイトの管理用サーバ。
【００１７】
本発明のこのような構成を備えることにより、当該管理用サーバは、ユーザの希望に応じて、当該ユーザが所有する当該活動単位を現金相当物と交換する。このことにより、当該ユーザは、いつでも当該活動単位を現金相当物に交換できる安心感のもと、当該活動単位を増やし、あるいは価値を高める活動に専念することができる。さらに、当該ユーザは、現金相当物に交換するよりも、当該ＷＥＢサイトにおける自らの活動に応じて利得の期待できる当該活動単位のまま価値を増やすインセンティブを得ることができる。
【００１８】
（４）  前記ユーザから、現金として使用可能又は現金に換金可能な現金相当物について、前記活動単位への、交換希望を受け付けたことに応じて、交換を希望する金額を前記実現価値の残高に加えると共に、前記交換希望を受け付ける直前の前記活動単位の評価額よりも高い価値の交換レートにより算出した前記活動単位の数を前記分配活動単位総数に追加する活動単位増加交換部をさらに備える（１）から（３）のいずれかに記載のＷＥＢサイトの管理用サーバ。
【００１９】
本発明のこのような構成を備えることにより、当該管理用サーバは、ユーザの希望に応じて、当該ユーザが交換を希望する現金相当物の金額を実現価値の残高に加えると共に、前記交換希望を受け付ける直前の前記活動単位の評価額よりも高い価値の交換レートにより算出した活動単位を分配活動単位総数に加える。このことにより、当該ユーザは、過去に取得して死蔵させているポイント等の現金相当物を当該所定の活動単位に交換して増やすことができる。
【００２０】
（５）  前記実現価値記憶部は、前記ＷＥＢサイトにおける前記ユーザの活動履歴に基づいて作成される分析レポートの販売を示す情報を、前記販売の販売価格を示す情報と共に受け付けたことに応じて、前記分析レポートの前記販売価格の所定割合を前記実現価値に加えて記憶する（１）から（４）のいずれかに記載のＷＥＢサイトの管理用サーバ。
【００２１】
本発明のこのような構成を備えることにより、当該管理用サーバは、当該分析レポートの販売価格の所定割合を当該実現価値に加える。このことにより、ユーザは、より適切な活動履歴を当該サーバに提供し、当該ＷＥＢサイトの分配価値総額を高め、以って自らが受け取る分配価値を高めるインセンティブを得ることができる。当該分析レポートの販売により、当該実現価値が確実に増加するのに対して分配活動単位総数は不変であるため、当該ユーザにとってはより大きなインセンティブとなる。
【００２２】
（６）  管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の所定割合を実現価値として記憶する実現価値記憶ステップと、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶する活動単位付与ステップと、
前記活動単位付与ステップにおいて、前記管理用サーバが前記所定の活動単位を付与する直前の前記実現価値の残高を分配価値総額として算出する分配価値総額算出ステップと、
前記活動単位付与ステップにおいて、前記管理用サーバが前記所定の活動単位を付与する直前の前記活動単位の残高に前記管理用サーバが付与する前記所定の活動単位を加えて分配活動単位総数として算出する分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶する活動単位評価額算出ステップとを含む管理方法。
【００２３】
本発明のこのような方法を当該管理用サーバに実施させることにより（１）と同様の効果が期待できる。
【００２４】
（７）  通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、前記実施をした広告の広告料の所定割合を実現価値として記憶させる実現価値記憶ステップと、
前記ＷＥＢサイトに係る前記ユーザの所定の活動を示す情報を、前記通信ネットワークを介して受信したことに応じて、前記所定の活動の内容に対応する所定の活動単位を付与し、当該所定の活動単位を前記所定の活動をしたユーザの前記ユーザ識別情報に関連付けて記憶させる活動単位付与ステップと、
前記活動単位付与ステップにおいて、前記管理用サーバが前記所定の活動単位を付与する直前の前記実現価値の残高を分配価値総額として算出させる分配価値総額算出ステップと、
前記活動単位付与ステップにおいて、前記管理用サーバが前記所定の活動単位を付与する直前の前記活動単位の残高に前記管理用サーバが付与する前記所定の活動単位を加えて分配活動単位総数として算出させる分配活動単位総数算出ステップと、
前記分配価値総額算出ステップにおいて、前記管理用サーバが算出した前記分配価値総額を、前記分配活動単位総数算出ステップにおいて、前記管理用サーバが算出した前記分配活動単位総数に基づいて分配することにより、前記活動単位の評価額を算出して記憶させる活動単位評価額算出ステップとを実行させる管理プログラム。
【００２５】
本発明のこのような各ステップを当該管理用サーバに実行させることにより（１）と同様の効果が期待できる。
【発明の効果】
【００２６】
本発明によれば、管理用サーバは、ユーザによるＷＥＢサイト上での活動を迅速に価値分配のための所定の活動単位で表現して当該活動をしたユーザに付与し、当該ＷＥＢサイトにおいて実施された広告に基づく実現価値を迅速に当該所定の活動単位の価値に反映することができる。従って、ブログ等をまとめたＷＥＢサイトの価値の向上を遅滞なく適切に反映し、当該価値のユーザへの配分を適切に実行するＷＥＢサイトの管理用サーバ及びＷＥＢサイトの管理方法を提供することができる。
【図面の簡単な説明】
【００２７】
【図１】本発明の第１の実施の形態に係るシステムを示すブロック図である。
【図２】図１のシステムにおける広告料テーブルを示す図表である。
【図３】図１のシステムにおける実現価値ログを示す図表である。
【図４】図１のシステムにおけるマイルテーブルを示す図表である。
【図５】図１のシステムにおける付与マイルログを示す図表である。
【図６】図１のシステムにおける管理用サーバの機能ブロック図である。
【図７】図１のシステムにおける管理用サーバの処理手順を示すフローチャートである。
【図８】本発明の第２の実施の形態に係るシステムを示すブロック図である。
【図９】図８のシステムにおける管理用サーバの機能ブロック図である。
【図１０】図８のシステムにおける管理用サーバの処理手順を示すフローチャートである。
【図１１】本発明の第３の実施の形態に係るシステムを示すブロック図である。
【図１２】図１１のシステムにおける管理用サーバの処理手順を示すフローチャートである。
【発明を実施するための形態】
【００２８】
以下、本発明の実施の形態について詳述する。
【００２９】
（１）第１の実施の形態
図１は、本発明の第１の実施の形態に係るシステム１を示すブロック図である。このシステム１は、ブログを含むＷＥＢサイトにおいて実現した広告料に基づく実現価値を、当該ＷＥＢサイトで所定の活動をしたユーザに配分する。
【００３０】
すなわちこのシステム１において、ＷＥＢサーバ２は、複数のＷＥＢページによるＷＥＢサイトを運営するサーバである。この実施の形態において、このＷＥＢページは、ブログを含む。ＷＥＢサーバ２は、登録されたユーザのユーザ端末３によるアクセスにより、ブログの執筆、更新を受け付け、さらにはユーザ端末３で購読可能なメールマガジンを発行する。ＷＥＢサーバ２は、ユーザ端末３からのアクセスを管理用サーバ６に通知することにより、ＷＥＢサイトに係る当該ユーザの活動を通知する。
【００３１】
またＷＥＢサーバ２は、上記のユーザを含む閲覧者の端末である閲覧者端末４からのアクセスにより、対応するＷＥＢページを当該閲覧者端末４で表示する。閲覧者端末４は、ＷＥＢページに設定された広告スペースに、対応する広告を表示すると共に、ＷＥＢサーバ２に表示した旨を通知する。さらに閲覧者端末４は、ＷＥＢページの広告の閲覧者のクリック操作を受け付けると、当該広告に設定されたリンクにより、ＷＥＢサーバ２にクリックした旨を通知すると共に、広告主サーバ５にページ要求を送信し、広告主サーバ５から受信した商品購入等に係るＷＥＢページを表示する。なおこの通知の方法は、ＷＥＢビーコンによるもの等の様々な方法が採用可能である。
【００３２】
またＷＥＢサーバ２は、閲覧者端末４からのアクセスによりメールマガジンの購読要求を受け付ける。ＷＥＢサーバ２は、当該購読要求を受け付けたことに応じて、閲覧者端末４から送信された指定メールアドレスに対して定期的に、あるいは不定期にメールマガジンを生成して送信するために当該指定メールアドレスを記憶する。
【００３３】
ＷＥＢサーバ２は、このＷＥＢページの閲覧に係る閲覧者端末４のアクセス、広告のクリックを管理用サーバ６に通知することにより、広告の実施を示す情報を管理用サーバ６に通知する。なお、この通知の方法はこれに限られず、ＷＥＢビーコンを各ＷＥＢページに埋め込んでおき、各ページが閲覧者端末４で表示される際に、閲覧者端末４から直接、管理用サーバ６に通知してもよい。またこの場合の広告の実施を示す情報は、例えば広告の表示及び広告のクリック等を示す情報である。
【００３４】
広告主サーバ５は、ＷＥＢページで広告を行う広告主のサーバであり、ＷＥＢページに設定されたリンクを辿った閲覧者端末４のアクセスにより、商品やサービスの購入に係るホームページを閲覧者端末４で表示する。またこの商品購入に係るホームページの表示により、商品やサービスの購入を受け付ける。広告主サーバ５は、この商品やサービスの購入により商品発送やサービスへの申し込み等の一連の処理を指示する。広告主サーバ５は、リンク元のＷＥＢページを特定する情報を記録して保持し、商品やサービスの販売が確定すると、対応するＷＥＢページを特定する情報を管理用サーバ６に通知する。これにより広告主サーバ５は、商品の販売を広告料の支払い条件としている場合について、広告の実施を示す情報を管理用サーバ６に通知する。なお、この通知の方法はこれに限られず、ＷＥＢビーコンを各ＷＥＢページに埋め込んでおき、各ページが閲覧者端末４で表示される際に、閲覧者端末４から直接管理用サーバ６に通知してもよい。さらに、これらの手法に限らず、アフィリエイトシステム等において使用されている各種の手法を広く適用することができる。
【００３５】
広告主端末８は、ＷＥＢページで表示する広告に関する各種の情報を設定する広告主の端末装置である。広告主端末８は、ＷＥＢページで表示する広告の情報（画像情報、テキスト情報等）、この広告に係る広告料、この広告料の支払い条件、この広告による広告主サーバ５のホームページのＵＲＬ、広告に係る商品の属性情報等を管理用サーバ６に通知する。なおここでこの広告料の支払い条件は、例えば広告の表示により広告料を支払う、広告のクリックにより広告料を支払う、商品やサービスの販売の確定により広告料を支払等の条件である。
【００３６】
管理用サーバ６は、ＷＥＢサイトの管理プログラムの実行により、このＷＥＢサイトを管理するサーバである。管理用サーバ６は、ユーザ端末３がユーザからユーザ登録を要求する操作を受け付けたことに応じて、ユーザ端末３から当該ユーザ登録の要求を受け付け、当該ユーザを識別する識別情報、対応するＷＥＢページを特定するＷＥＢページの識別情報等によりユーザデータベース（ユーザＤＢ６Ｅ）を構築する。
【００３７】
また管理用サーバ６は、広告主端末８から指定された属性情報、広告料等により、各ＷＥＢページで表示する広告を選択する。また管理用サーバ６は、この選択に基づいてＷＥＢページに設定されるリンクに対応付けて広告の情報、広告主サーバ５によるホームページのＵＲＬをＷＥＢサーバ２に記録することにより、ＷＥＢページに広告主の広告を表示可能に設定し、さらには閲覧者端末４で広告主サーバ５のホームページを表示可能に設定する。なお、これらの広告の選択や設定の処理は管理用サーバ６に限られず、ＷＥＢサーバ２やその他のサーバが行ってもよい。この場合、これらのサーバは広告の実施を示す情報を管理用サーバ６に送信する。
【００３８】
なおこの実施の形態において、管理用サーバ６は、入札により広告を受け付ける。従って管理用サーバ６は、広告主端末８から入札の条件を受け付け、各広告スペースの属性に対応する入札の中から、最も高い入札額（広告料）を示した広告を選択し、ＷＥＢページで表示する広告を決定する。従ってこのシステム１では、同一のＷＥＢページを閲覧して同種の広告を表示する場合であっても、閲覧の日時等によって広告料が種々に変動することになる。なお、これらの入札等による広告の受け付けは管理用サーバ６に限られず、ＷＥＢサーバ２が直接受け付けて、広告の設定内容を管理用サーバ６に通知してもよい。
【００３９】
また管理用サーバ６は、広告主端末８から受け付けた広告料、この広告料の支払い条件をテーブルの形式により記録することにより、図２に示すように、広告料テーブル６Ａを作成して保持する。なおこの図２の例では、広告主ＩＤ「００１」の広告ＩＤ「ＸＹＺ」の広告については、広告の実施内容に応じて、表示、クリック、商品の購入によりそれぞれ２０円、４０円、８００円の広告料が支払われることが示されている。
【００４０】
管理用サーバ６は、ＷＥＢサーバ２、広告主サーバ５からの通知によりこの広告料テーブル６Ａを参照し、これによりＷＥＢサーバ２、広告主サーバ５からの広告の実施を示す情報の通知によって対応する広告料を算出する。なお、これに限られず、管理用サーバ６は、広告の実施を示す情報の中に広告料に関する情報を含んで通知を受けてもよい。この他、広告を実施して当該ＷＥＢサイトの収入として確定した広告料を特定する様々な方法が採用可能である。さらに、管理用サーバ６は、算出あるいは特定したした広告料の所定割合を実現価値として算出する。ここで実現価値は、得られた広告料のうち、ユーザに配分する金額である。管理用サーバ６は、図３に示すように、この算出実現価値を関連する情報と共に時系列により記録して実現価値ログ６Ｃを作成する。なおこの図３の例では、広告主ＩＤ「００１」、広告ＩＤ「ＸＹＺ」により特定される広告について、この広告の表示により２０円の広告料収入が得られ、その半分（３分の１や３０％等その他の割合や、様々な計算式によるものも可能である）の１０円の実現価値が算出されている。また続いてこの広告がクリックされることにより４０円の広告料収入が得られ、２０円の実現価値が算出されていることが示されている。また続いて広告主ＩＤ「００３」、広告ＩＤ「ＡＡＡ」により特定される広告の商品の販売により９００円の広告料収入が得られ、４５０円の実現価値が算出されていることが示されている。なお、これらの一連の実現価値の算出の処理については管理用サーバ６に限られず、ＷＥＢサーバ２が広告料の算出あるいは特定を行い、図２に示す実現価値ログ６Ｃの一部を作成、更新してもよい。そして、管理用サーバ６は、ＷＥＢサーバ２から実現価値ログ６Ｃの内容の通知を受けて、実現価値を算出してもよい。あるいは、管理用サーバ６及びＷＥＢサーバ２を一体とするサーバとして実現してもよい。
【００４１】
また管理用サーバ６は、事前の設定により、ユーザのＷＥＢサイトに係る活動の内容に応じて付与する活動単位を示すテーブルとしてマイルテーブル６Ｂを備える。ここでマイルテーブル６Ｂは、図４に示すように、ＷＥＢサーバ２あるいはユーザ端末３から通知されるＷＥＢページに係るユーザの活動の内容に応じて付与するマイルを記録したテーブルである。ここでマイルは、当該ＷＥＢサイトの価値の向上に対するユーザの活動を評価する活動単位である。この実施の形態において、このマイルの付与対象となるＷＥＢページに関するユーザの活動は、ブログの作成、更新、閲覧、メールマガジンの発行である。なおこの実施の形態では、これらの活動の他に、閲覧者がメールマガジンの購読を申し込む活動や単に閲覧する活動も、広い意味でＷＥＢサイトの価値向上に資する活動としてマイルを付与するべく、マイルテーブル６Ｂに記録される。
【００４２】
この図４に示す例では、活動ＩＤ「Ａ」及び「Ｂ」により特定される活動にそれぞれ１５マイル、２０マイルが付与されることが示されている。なお活動ＩＤ［Ａ」及び「Ｂ」の活動は、例えばブログの更新、新規作成である。なおこのマイルは、ＷＥＢサイトの価値の向上に役立てるとの観点より、当該ＷＥＢページがブログであることを考慮して付与される。従ってＷＥＢサイトの種類によって、さらには観点の相違によりマイルの付与の多寡は種々に異なる。
【００４３】
管理用サーバ６は、ＷＥＢサーバ２又はユーザ端末３からの当該ユーザの各種活動を示す通知によりこのマイルテーブル６Ｂを参照して各活動に対応して当該ユーザに付与するマイルを算出する。また図５に示すように、算出したマイルを関連する情報と共に時系列により記録して付与マイルログ６Ｄを作成する。なおこの図５の例では、ＷＥＢページＩＤ「ａｂｃ」によるＷＥＢページについて、ユーザＩＤ「１１１」にユーザが活動ＩＤ「Ａ」により特定される活動をし、これにより値１５のマイルが付与されたことが示されている。また続いて、ＷＥＢページＩＤ「ＸＹＺ」によるＷＥＢページについて、ユーザＩＤ「２２２」のユーザが活動ＩＤ「Ｂ」により特定される活動をし、これにより値２０のマイルが付与されていることが示されている。
【００４４】
管理用サーバ６は、これら実現価値ログ、付与マイルログ６Ｄの記録を処理して広告料による利益を各ユーザに配分する。
【００４５】
図６は、これら実現価値ログ６Ｃ、付与マイルログ６Ｄの処理に係る管理用サーバ６の構成を示す機能ブロック図である。従って管理用サーバ６においては、この図６の機能ブロックに対応する処理ステップを適宜実行することになる。
【００４６】
この図６の構成において、ユーザ識別情報記憶部６Ｆは、ユーザ端末３からのアクセスによりユーザ登録が指示されると、当該ユーザを識別するユーザ識別情報を記憶してユーザデータベース（ユーザＤＢ６Ｅ）を構築する。
【００４７】
活動単位付与部６Ｇは、ＷＥＢサイトに係るユーザの活動を示す情報を通信ネットワークを介して受信すると、当該活動の内容に対応する活動単位としてマイルを付与し、このマイルをユーザ識別情報に関連付けて記憶する。より具体的に、活動単位付与部６Ｇは、上述したように、ＷＥＢサーバ２あるいは広告主サーバ５からの通知を受信したことに応じて、マイルテーブル６Ｂを参照して各活動に対して付与するマイルを算出し、付与マイルログ６Ｄに記憶する。
【００４８】
分配活動単位総数算出部６Ｈは、活動単位付与部６Ｇがマイルを付与する直前のマイルの残高に活動単位付与部６Ｇが付与するマイルを加えて分配マイル総数（分配活動単位総数）を算出する。さらに、各ユーザから、各ユーザのユーザ識別情報に関連付けて記憶したマイルの一部又は全部について、現金として使用可能又は現金に換金可能な現金相当物への、交換希望を受け付けたことに応じて、管理用サーバ６は、当該現金相当物への交換処理を実行しこの交換処理に対応して各ユーザのマイルを減少させる。さらに、各ユーザから、現金として使用可能又は現金に換金可能な現金相当物について、マイルへの、交換希望を受け付けたことに応じて、管理用サーバ６は、当該現金相当物からマイルへの交換処理を実行し、対応して各ユーザのマイルを増加させる。従って管理用サーバ６において、各ユーザのマイル、ＷＥＢサイトにおけるマイルの総数は種々に変化することになる。
【００４９】
そこで分配活動単位総数算出部６Ｈは、活動単位付与部６Ｇがマイルを付与する毎に付与マイルログ６Ｄの記録を参照し、活動単位付与部６Ｇで今回付与したマイルをそれまでの全ユーザのマイルの集計値に加算し、マイル総数（分配活動単位総数）を算出する。
【００５０】
実現価値記憶部６Ｉは、上述したように、ＷＥＢサイトに設けられた広告の実施を示す情報を受け付けると、当該ＷＥＢサイトへの支払いが確定した広告料の所定割合を実現価値として記憶して実現価値ログ６Ｃを構築する。
【００５１】
分配価値総額算出部６Ｊは、その時点での実現価値の残高を分配価値総額として算出する。さらに、各ユーザから、各ユーザのユーザ識別情報に関連付けて記憶したマイルの一部又は全部について、現金として使用可能又は現金に換金可能な現金相当物への、交換希望を受け付けたことに応じて、管理用サーバ６は、当該現金相当物への交換処理を実行しこの交換処理に対応して各ユーザのマイルを減少させる。さらに、各ユーザから、現金として使用可能又は現金に換金可能な現金相当物について、マイルへの、交換希望を受け付けたことに応じて、管理用サーバ６は、当該現金相当物からマイルへの交換処理を実行し、対応して各ユーザのマイルを増加させる。さらに、当該ＷＥＢサイトにおける当該ユーザの活動履歴に基づいて作成される分析レポートの販売を示す情報を、当該販売の販売価格を示す情報と共に受け付けたことに応じて、管理用サーバ６は、当該分析レポートの当該販売価格の所定割合を実現価値に加えて記憶する。従って管理用サーバ６では、分配可能な利益（実現価値）の総額もこれらの処理により種々に変化することになる。
【００５２】
そこで分配価値総額算出部６Ｊは、分配活動単位総数算出部６Ｈで算出する分配マイル総数（分配活動単位総数）に対応するその時点での実現価値の残高を実現価値の総額として算出する。
【００５３】
活動単位評価額算出部６Ｋは、分配価値総額算出部６Ｊで算出した分配価値総額を、分配活動単位総数算出部６Ｈが算出した分配マイル総数（分配活動単位総数）に基づいて分配することにより、マイル（活動単位）の評価額を算出して記憶する。より具体的に、この実施の形態において、活動単位評価額算出部６Ｋは、分配価値総額算出部６Ｊで算出した分配価値総額を、分配活動単位総数算出部６Ｈが算出した分配マイル総数（分配活動単位総数）で割り算して活動単位の評価額を算出する。
【００５４】
なおこれによりこの実施の形態では、ユーザに付与されたマイルに単純比例するように利益を分配することになる。しかしながら例えばユーザに付与されたマイルが増大するに従って分配率が低下する場合等、それぞれのユーザに付与されたマイルの集計値を基準にした利益の分配にあっては、種々の手法を適用することができる。なおこのようにユーザに付与されたマイルが増大するに従って分配率が低下するように設定した場合には、付与されたマイルの少ないユーザに対して積極的にブログの更新を働きかけるように、付与されたマイルの少ないユーザに対してインセンティブを増大させることができる。
【００５５】
情報公開部６Ｌは、活動単位評価額算出部６Ｋが算出したマイル（活動単位）の評価額を示す情報を公衆が閲覧可能な状態で記憶する。管理用サーバ６は、この情報をユーザ端末３、閲覧者端末４のアクセスによりこれらのユーザ端末３、閲覧者端末４に提供する。すなわちこの実施の形態において、各ＷＥＢページにマイル（活動単位）確認のメニューが設けられており、ＷＥＢサーバ２は、このメニューのクリックにより対応するユーザ端末３にマイル（活動単位）の確認画面を表示し、この確認画面でマイル（活動単位）の評価額を表示する。またユーザ端末３によりアクセスにおいては、併せて現在のマイル（活動単位）の集計値を表示する。
【００５６】
管理用サーバ６は、この変換処理のメニューに設定されたリンクにより、変換処理のメニューがクリックされると、変換処理用の画面をユーザ端末３で表示する。管理用サーバ６は、この変換処理用の画面で、当該ユーザのマイル（活動単位）の残高に評価額を乗算し、現在のマイル（活動単位）に対応する分配価値の額を表示する。また現金として使用可能又は現金に換金可能な現金相当物に変換するマイル数（活動単位数）の入力を受け付ける。なおここでこの交換対象の現金相当物は、例えばポイントや電子マネーである。
【００５７】
活動単位減少交換部６Ｍは、この交換処理用の画面におけるユーザの操作により、現金相当物への交換が指示されると、交換指示を受け付ける直前のマイル（活動単位）の評価額よりも低い価値の交換レートにより算出した金額を実現価値の残高から減じると共に、対応するマイル（活動単位）の数を分配マイル総数（分配活動単位総数）から減算する。なおここで低い価値の交換レートとしたのは、交換の際に手数料を徴収するためと、ユーザに対し、マイル（活動単位）をより多く保持し、ＷＥＢサイトの価値の増大という共通の目的に資する活動を積極的に行うインセンティブを与えるためである。
【００５８】
図３の例により具体的に説明すると、ある時点で実現価値の残高が１００００円であった場合、その時点でさらに図３に示すような各実現価値が確定する度に、実現価値の残高は、それぞれ１００１０円、１００３０円、１０４８０円に増加する。また図５の例の場合、マイルを付与する直前のマイルの総数が１００００マイルである場合、ユーザが各活動をする度に、マイルの総計は、それぞれ１００１５マイル、１００３５マイルに増加する。従って活動ＩＤ「Ａ」の活動の時間が１２時１２分であることから、活動ＩＤ「Ａ」の活動に係る１２時１２分の時点では、その直前の実現価値の残高は１００１０円となり、マイルの評価額は、１００１０円を１００１５マイルで割った０．９９９５００７４８円となる。また続く活動ＩＤ「Ｂ」の活動に係る１２時１４分の時点では、その直前の実現価値の残高は１００３０円となり、マイルの評価額は、１００３０円を１００３５マイルで割った０．９９９５０１７４３円となる。また続く１２時１５分の時点では、１０４８０円を１００３５マイルで割った１．０４４３４４７９３円がマイルの評価額となる。この１２時１５分の実現価値の増加後の時点で２０マイルがポイントや電子マネー等の現金相当物に変換されると、マイルの総計から２０マイルが減算され、さらに２０マイル×１．０９９３１０３０８円（その時点の評価額よりも５％低いレート）の分だけ実現価値の残高から減額されることになる。
【００５９】
図７は、図６の機能ブロック図の各構成に対応する管理用サーバ６の処理手順を示すフローチャートである。管理用サーバ６は、インターネット等の通信ネットワークを介したアクセスによりユーザ登録の要求を受け付けると、ユーザ識別情報記憶部６Ｆに係る処理を実行し、当該ユーザをユーザデータベース（ユーザＤＢ６Ｅ）に登録する（ＳＰ１−ＳＰ２−ＳＰ３）。また広告の実施に係る情報を受け付けると、実現価値記憶部６Ｉに係る処理を実行し、実現価値を算出する（ＳＰ４−ＳＰ５）。
【００６０】
またユーザの活動により、活動単位付与部６Ｇ、分配活動単位総数算出部６Ｈ、活動単位評価額算出部６Ｋに対応する処理を順次実行し、マイル（活動単位）の評価額を計算する（ＳＰ６−ＳＰ７−ＳＰ８−ＳＰ９）。またユーザ端末３、閲覧者端末４からのアクセスにより情報公開部６Ｌに係る処理を実行し、マイル（活動単位）の評価額を表示する（ＳＰ１０−ＳＰ１１）。またユーザによりマイルの変換要求を受け付けると、活動単位減少交換部６Ｍに対応する処理を実行し、ユーザの指示したマイル数を現金相当物に交換する（ＳＰ１２、ＳＰ１３）。
【００６１】
（２）実施の形態の動作
以上の構成において、このシステム１では（図１）、ユーザ端末３によりＷＥＢサーバ２にアクセスしてブログの更新等が実行され、閲覧者端末４によるアクセスによりこのブログが閲覧される。このブログには、広告が掲載されており、ユーザを含む閲覧者によるこの広告のクリック操作を受け付けると、閲覧者端末４は、広告に設定されたリンクを辿って広告主サーバ５にアクセスし、この広告に係るホームページを表示する。システム１は、この広告の表示、この広告のクリック、この広告を辿ったホームページにおける商品の購入に応じて、広告主からの広告料の支払を確定させ、その一部を実現価値として記憶する。
【００６２】
従来のアフィリエイトにおいて、この広告主が支払った広告料は、対応する広告を表示したＷＥＢページのユーザに配分される。これにより従来のシステムでは、頻繁にブログを更新し、当該ＷＥＢサイトの集客に大きく寄与しているユーザにあっても、直には高い収益が保障されないことになる。特にブログにあっては、頻繁に書き込みしてページが長くなると、その分、広告が見つかり難くなる。従ってこの場合には、積極的にサイトの価値向上に活動しているにも拘わらず、却って収益は減収することになる。また広告料の収入にあっては、数十日程度待つ必要がある。これらによりＷＥＢサイトの価値向上に積極的に活動するユーザに対して、従来のシステムでは、その活動に見合う対価が支払われていないことになる。
【００６３】
そこでこの実施の形態では、広告料が支払われたブログのユーザが誰かに関わらず、ＷＥＢサイトの価値向上に寄与するユーザの活動について、それぞれマイルが付与される。またこのマイルがユーザ毎に集計され、集計値に基づいて実現価値が分配される。
【００６４】
これにより積極的にブログを更新し、当該ＷＥＢサイトの人気を高めるユーザに対しても、適切に実現価値を配分することができる。また同様に積極的にメールマガジンを発行して当該ＷＥＢサイトの評判を高めるユーザに対しても、同様に、適切に実現価値を配分することができる。さらに、ブログの執筆もメールマガジンの発行も行わない、単にこれらを閲覧するだけのユーザに対しても、ページビューの増加等に応じて当該ＷＥＢサイトの価値を高めるその閲覧という活動に対してマイルが付与される。その結果、このようなユーザにあっては、当該ＷＥＢサイトの人気、評価を高める行為が評価されて利益を得ることができることにより、益々、当該ＷＥＢサイトの人気、評価を高める行為に励むことが予測され、その結果、当該ＷＥＢサイトの価値を向上することができる。
【００６５】
またブログを開設した直後にあっても、そのブログの開設という活動に対してすぐにマイルが付与される。さらに、閲覧者の来訪により当該ブログが表示されると、マイルが付与される。このように、ＷＥＢサイトの価値向上につながる活動であればどのような活動であっても活動の内容に応じて所定のマイルの付与を受け、その評価額により実現価値の分配を受けることができる。これにより新規にブログを開設したユーザ等に対して、やる気を起こさせ、ブログに対するモチベーションを向上させることができ、その結果、このようなユーザの積極的な活動を促して当該ＷＥＢサイトの価値を向上することができる。
【００６６】
より具体的に、この実施の形態では、ユーザの活動に対応してその時点でのマイルの評価額を求め、この評価額を基準にして実現価値を分配する。この場合、例えばＷＥＢサイトの価値を向上する活動を実行すればする程、自己マイルを増大させてその時点での実現価値の分配を受けることができ、その結果、ＷＥＢサイトの価値を向上する活動に対して大きなインセンティブを与えることができる。
【００６７】
（３）実施の形態の効果
以上の構成によれば、ＷＥＢサイトに係るユーザの活動に対応して、対応するマイルを付与して実現価値を分配することにより、ＷＥＢサイトの価値を向上する活動をしたユーザに対しても迅速に利益を分配することができる。
【００６８】
またマイルの評価額を公開することにより、ユーザは、自らが所有するマイルの価値を随時知ることができる。その結果、一段とＷＥＢサイトの価値を高める活動に対してインセンティブを与えることができる。
【００６９】
またさらにユーザの指示により現金相当物と交換する処理を実行することにより、ユーザは、いつでも当該マイルを現金相当物に交換できる安心感のもと、当該マイルを増やし、あるいは価値を高める活動に専念することができる。これによっても一段とＷＥＢサイトの価値を高める活動に対してインセンティブを与えることができる。またユーザに対して、現金相当物に交換するよりも、マイルのまま保持して、マイルの評価値を増大させる活動に専念させる動機付けを与えることができ、これによっても一段とＷＥＢサイトの価値を高める活動に対してインセンティブを与えることができる。
【００７０】
（４）第２の実施の形態
図８は、本発明の第２の実施の形態に係るシステム１１を示すブロック図である。このシステム１１は、ユーザの操作に応動して当該ユーザが保有するポイントを、第１の実施の形態について上述したマイルに交換する。このシステム１１は、このユーザが保有するポイントに関する処理が追加されている点を除いて、第１の実施の形態のシステム１と同一に構成される。なおこのポイントは、現金として使用可能又は現金に換金可能な現金相当物である。
【００７１】
このシステム１１において、管理用サーバ１２は、ユーザが保有するポイントに係るサーバである。この管理用サーバ１２は、当該ユーザが保有するポイントを管理する。
【００７２】
管理用サーバ１６は、このユーザが保有するポイントの交換に係る処理を実行する点を除いて、第１の実施の形態で上述した管理用サーバ６と同一に構成される。ここで管理用サーバ１６は、ユーザ端末３からのアクセスにより所定のマイルへの変換処理画面を表示する。またユーザによるＩＤ等の入力により、管理用サーバ１６にアクセスしてポイント数を検出し、このポイント数を表示する。この状態で、変換するポイント数を入力してユーザによる交換の要求を受け付けると、管理用サーバ１６は、当該交換を指示したポイント数に対応する金額を実現価値の残高に加えると共に、当該交換の要求の直前のマイルの評価額よりも高い価値の交換レートで算出したマイルの数を分配マイル総数（分配活動単位総数）に追加する。管理用サーバ１６は、この一連の処理に連動して管理用サーバ１２との間で対応する決済の処理を実行することは言うまでもない。高い価値の交換レートとしたのは、交換の際に手数料を徴収するためと、実現価値の残高に比べてマイルの数の増加を抑えてマイルの評価額を上昇させるためである。
【００７３】
この管理用サーバ１６は、図６との対比により図９に示すように、さらにこれらポイントの処理に係る活動単位増加交換部６Ｐを備えることになる。また図１０に示すように、管理用サーバ１６は、当該活動単位増加交換部６Ｐに対応する処理を実行することになる。すなわちこの処理において、管理用サーバ１６は、交換するポイントの入力を受け（ＳＰ２１−ＳＰ２２）、当該ポイントに対応する金額を実現価値の残高に加算する（ＳＰ２３）。また当該交換の要求の直前のマイルの評価額よりも高い価値の交換レートで算出したマイルの数を分配マイル総数（分配活動単位総数）に加算し（ＳＰ２４）、ポイントに係る管理用サーバ１２との間で決済の処理を実行して元の処理に戻る（ＳＰ２５−ＳＰ２６）。
【００７４】
この実施の形態では、ユーザの指示により、ユーザの保有するポイントをマイルに換算して更新すると共に、このポイントに対応する金額を増額することにより、他の管理用サーバ１２に管理されているユーザのポイント等を取り込むことができ、いわゆる死蔵したポイント等の有効利用を図れるようにして、一層、ＷＥＢサイトの価値を向上することができる。
【００７５】
（５）第３の実施の形態
図１１は、本発明の第３の実施の形態に係るシステム２１を示すブロック図である。このシステム２１は、管理用サーバ２６の構成が異なる点を除いて、第１又は第２の実施の形態について上述したシステムと同一に構成される。また管理用サーバ２６は、顧客分析に関する処理を備えている点を除いて、第１又は第２の実施の形態について上述した管理用サーバと同一に構成される。
【００７６】
すなわち管理用サーバ２６は、ユーザ及び閲覧者を登録した顧客データベースを備え、ユーザ端末３及び閲覧者端末４によるアクセス等によりこの顧客データベースを更新する。なおこの顧客データベースへの登録は、例えばユーザ登録等により実行される。
【００７７】
管理用サーバ２６において、顧客分析部２６Ａは、この顧客データベースを元に、例えばＣＲＭ（Ｃｕｓｔｏｍｅｒ  Ｒｅｌａｔｉｏｎｓｈｉｐ  Ｍａｎａｇｅｍｅｎｔ）の手法を適用して当該ＷＥＢサイトのユーザ、閲覧者の活動を分析し、分析レポートを作成する。管理用サーバ２６において、実現価値記憶部６Ｉ（図６参照）は、この分析レポートの販売が実施されたことを示す情報を販売価格を示す情報共に受信したことに応じて、当該分析レポートの販売価格の所定割合を実現価値に加えて記憶する。
【００７８】
これにより図１２に示すように、この実施の形態に係り管理用サーバ２６は、分析レポートの販売により、実現価値の残高に分析レポートの販売に係る実現価値を加算して元の処理手順に戻る（ＳＰ３１−ＳＰ３２−ＳＰ３３）。
【００７９】
この実施の形態では、顧客の活動履歴を分析した分析レポートの販売により、対応する販売価格の所定割合を実現価値の総額に加算することにより、ＷＥＢサイトの隠れた財産を、広告による利益と共に適切に配分し、自らが受け取る分配価値を高めるインセンティブを得ることができ、その結果、ＷＥＢサイトの価値を一段と向上することができる。またユーザは、より適切な活動履歴をサーバに提供し、当該ＷＥＢサイトの分配価値総額を高め、以って自らが受け取る分配価値を高めるインセンティブを得ることができる。
【００８０】
（６）他の実施の形態
なお上述の実施の形態では、本発明の実施に好適な具体的な構成を詳述したが、本発明にあっては、本発明の趣旨を逸脱しない範囲で、上述の実施の形態の構成を種々に変更等することができる。
【００８１】
すなわち上述の実施の形態では、広告主サーバからの販売の確定による通知を受けて広告料等を計算することにより、商品の販売に関しては実際の広告料の収入に対応して計算する場合ついて述べたが、本発明はこれに限らず、商品の購入の通知により確定した広告料を推定して実現価値を計算してもよい。
【００８２】
また上述の実施の形態では、ブログに係るＷＥＢサイトに本発明を適用して、ブログの執筆、更新、メールマガジンの発行、申し込みに対してマイルを付与する場合について述べたが、本発明はこれに限らず、メールマガジンの受信、ユーザ登録等によってもマイルを付与してもよい。
【００８３】
また上述の実施の形態では、ブログに係るＷＥＢサイトに本発明を適用する場合について述べたが、本発明はこれに限らず、各種のコミュニティによるサイト、メーリングリスト等を利用するサイト、ニュース、天気予報、音楽等の各種コンテンツを提供するサイト、プログラム等の各種ツールを提供するサイト等に広く適用することができ、またこれら各種のサイトにおける各種のユーザの活動に広く適用することができる。
【符号の説明】
【００８４】
１、１１、２１  システム
２  ＷＥＢサーバ
３  ユーザ端末
４  閲覧者端末
５  広告主サーバ
６、１２、１６、２６  管理用サーバ
８  広告主端末
【図１】
2011138430.tif 000003
【図２】
2011138430.tif 000004
【図３】
2011138430.tif 000005
【図４】
2011138430.tif 000006
【図５】
2011138430.tif 000007
【図６】
2011138430.tif 000008
【図７】
2011138430.tif 000009
【図８】
2011138430.tif 000010
【図９】
2011138430.tif 000011
【図１０】
2011138430.tif 000012
【図１１】
2011138430.tif 000013
【図１２】
2011138430.tif 000014
【手続補正書】
【提出日】平成22年1月7日(2010.1.7)
【手続補正１】
【補正対象書類名】図面
【補正対象項目名】図３
【補正方法】変更
【補正の内容】
【図３】
2011138430.tif 000015
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、当該広告の広告料の少なくとも一部を実現価値として記憶する実現価値記憶部と、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与部と、
前記実現価値記憶部で記憶した前記実現価値の集計値を計算し、分配価値総額を算出する分配価値総額算出部と、
前記活動単位付与部で付与した活動単位をそれまでの全ユーザの活動単位の集計値に加算し、分配活動単位総数を算出する分配活動単位総数算出部と、
前記分配価値総額に対する前記分配活動単位総数の比率により、前記活動単位の評価額を算出して記憶する活動単位評価額算出部とを備え、
前記分配価値総額算出部、分配活動単位総数算出部、活動単位評価額算出部は、
前記通信ネットワークを介して、前記ＷＥＢサイトに係る前記ユーザの活動を示す情報を受信すると、それぞれ分配価値総額、分配活動単位総数、前記活動単位の評価額を算出するＷＥＢサイトの管理用サーバ。
【請求項２】
前記活動単位評価額算出部が算出した前記活動単位の評価額を示す情報を公衆が閲覧可能な状態で記憶する情報公開部をさらに備える請求項１に記載のＷＥＢサイトの管理用サーバ。
【請求項３】
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換部をさらに備える請求項１又は請求項２に記載のＷＥＢサイトの管理用サーバ。
【請求項４】
前記通信ネットワークを介して、前記ユーザから、現金として使用可能又は現金に換金可能な現金相当物について、前記活動単位への、交換希望が得られると、交換を希望する金額を前記分配価値総額に加えると共に、その時点で前記活動単位評価額算出部で計算されている前記活動単位の評価額に係る前記比率に応じて、交換希望が求められた金額を前記活動単位に換算し、該換算した活動単位を前記分配活動単位総数に加算する活動単位増加交換部をさらに備える請求項１から請求項３のいずれかに記載のＷＥＢサイトの管理用サーバ。
【請求項５】
前記実現価値記憶部は、  前記通信ネットワークを介して、前記ＷＥＢサイトにおける前記ユーザの活動履歴に基づいて作成される分析レポートの販売を示す情報を、前記販売の販売価格を示す情報と共に受け付けると、前記分析レポートの前記販売価格の少なくとも一部を前記実現価値として記憶する請求項１から請求項４のいずれかに記載のＷＥＢサイトの管理用サーバ。
【請求項６】
管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与ステップと、
前記実現価値記憶ステップで記憶した前記実現価値の集計値を計算し、分配価値総額を算出する分配価値総額算出ステップと、
前記活動単位付与ステップで付与した活動単位をそれまでの全ユーザの活動単位の集計値に加算し、分配活動単位総数を算出する分配活動単位総数算出ステップと、
記録して保持した前記活動単位の集計値に、前記活動単位付与ステップで付与した前記活動単位を加算して前記活動単位の集計値を更新することにより、分配活動単位総数を算出する分配活動単位総数算出ステップと、
前記分配価値総額に対する前記分配活動単位総数の比率により、前記活動単位の評価額を算出して記憶する活動単位評価額算出ステップとを含み、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理方法。
【請求項７】
通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、当該広告の広告料の少なくとも一部を実現価値として記憶させる実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶させる活動単位付与ステップと、
前記実現価値記憶ステップで記憶した前記実現価値の集計値を計算し、分配価値総額を算出させる分配価値総額算出ステップと、
前記活動単位付与ステップで付与した活動単位をそれまでの全ユーザの活動単位の集計値に加算し、分配活動単位総数を算出する分配活動単位総数算出ステップと、
前記分配価値総額に対する前記分配活動単位総数の比率により、前記活動単位の評価額を算出して記憶させる活動単位評価額算出ステップとを実行させ、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理プログラム。
【手続補正２】
【補正対象書類名】明細書
【補正対象項目名】００１２
【補正方法】変更
【補正の内容】
【００１２】
（１）  通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、当該広告の広告料の少なくとも一部を実現価値として記憶する実現価値記憶部と、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与部と、
前記実現価値記憶部で記憶した前記実現価値の集計値を計算し、分配価値総額を算出する分配価値総額算出部と、
前記活動単位付与部で付与した活動単位をそれまでの全ユーザの活動単位の集計値に加算し、分配活動単位総数を算出する分配活動単位総数算出部と、
前記分配価値総額に対する前記分配活動単位総数の比率により、前記活動単位の評価額を算出して記憶する活動単位評価額算出部とを備え、
前記分配価値総額算出部、分配活動単位総数算出部、活動単位評価額算出部は、
前記通信ネットワークを介して、前記ＷＥＢサイトに係る前記ユーザの活動を示す情報を受信すると、それぞれ分配価値総額、分配活動単位総数、前記活動単位の評価額を算出するＷＥＢサイトの管理用サーバ。
【手続補正３】
【補正対象書類名】明細書
【補正対象項目名】００１６
【補正方法】変更
【補正の内容】
【００１６】
（３）  前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換部をさらに備える（１）又は（２）に記載のＷＥＢサイトの管理用サーバ。
【手続補正４】
【補正対象書類名】明細書
【補正対象項目名】００１８
【補正方法】変更
【補正の内容】
【００１８】
（４）  前記通信ネットワークを介して、前記ユーザから、現金として使用可能又は現金に換金可能な現金相当物について、前記活動単位への、交換希望が得られると、交換を希望する金額を前記分配価値総額に加えると共に、その時点で前記活動単位評価額算出部で計算されている前記活動単位の評価額に係る前記比率に応じて、交換希望が求められた金額を前記活動単位に換算し、該換算した活動単位を前記分配活動単位総数に加算する活動単位増加交換部をさらに備える（１）から（３）のいずれかに記載のＷＥＢサイトの管理用サーバ。
【手続補正５】
【補正対象書類名】明細書
【補正対象項目名】００２０
【補正方法】変更
【補正の内容】
【００２０】
（５）  前記実現価値記憶部は、  前記通信ネットワークを介して、前記ＷＥＢサイトにおける前記ユーザの活動履歴に基づいて作成される分析レポートの販売を示す情報を、前記販売の販売価格を示す情報と共に受け付けると、前記分析レポートの前記販売価格の少なくとも一部を前記実現価値として記憶する（１）から（４）のいずれかに記載のＷＥＢサイトの管理用サーバ。
【手続補正６】
【補正対象書類名】明細書
【補正対象項目名】００２２
【補正方法】変更
【補正の内容】
【００２２】
（６）  管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与ステップと、
前記実現価値記憶ステップで記憶した前記実現価値の集計値を計算し、分配価値総額を算出する分配価値総額算出ステップと、
前記活動単位付与ステップで付与した活動単位をそれまでの全ユーザの活動単位の集計値に加算し、分配活動単位総数を算出する分配活動単位総数算出ステップと、
記録して保持した前記活動単位の集計値に、前記活動単位付与ステップで付与した前記活動単位を加算して前記活動単位の集計値を更新することにより、分配活動単位総数を算出する分配活動単位総数算出ステップと、
前記分配価値総額に対する前記分配活動単位総数の比率により、前記活動単位の評価額を算出して記憶する活動単位評価額算出ステップとを含み、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理方法。
【手続補正７】
【補正対象書類名】明細書
【補正対象項目名】００２４
【補正方法】変更
【補正の内容】
【００２４】
（７）  通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、当該広告の広告料の少なくとも一部を実現価値として記憶させる実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶させる活動単位付与ステップと、
前記実現価値記憶ステップで記憶した前記実現価値の集計値を計算し、分配価値総額を算出させる分配価値総額算出ステップと、
前記活動単位付与ステップで付与した活動単位をそれまでの全ユーザの活動単位の集計値に加算し、分配活動単位総数を算出させる分配活動単位総数算出ステップと、
前記分配価値総額に対する前記分配活動単位総数の比率により、前記活動単位の評価額を算出して記憶させる活動単位評価額算出ステップとを実行させ、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理プログラム。
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、当該広告の広告料の少なくとも一部を実現価値として記憶する実現価値記憶部と、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与部と、
前記実現価値記憶部で記憶した前記実現価値の集計値を計算し、分配価値総額を算出する分配価値総額算出部と、
前記活動単位付与部で付与した活動単位をそれまでの全ユーザの活動単位の集計値に加算し、分配活動単位総数を算出する分配活動単位総数算出部と、
前記分配価値総額に対する前記分配活動単位総数の比率により、前記活動単位の評価額を算出して記憶する活動単位評価額算出部と、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換部とを備え、
前記分配価値総額算出部、分配活動単位総数算出部、活動単位評価額算出部は、
前記通信ネットワークを介して、前記ＷＥＢサイトに係る前記ユーザの活動を示す情報を受信すると、それぞれ分配価値総額、分配活動単位総数、前記活動単位の評価額を算出するＷＥＢサイトの管理用サーバ。
【請求項２】
前記活動単位評価額算出部が算出した前記活動単位の評価額を示す情報を公衆が閲覧可能な状態で記憶する情報公開部をさらに備える請求項１に記載のＷＥＢサイトの管理用サーバ。
【請求項３】
前記通信ネットワークを介して、前記ユーザから、現金として使用可能又は現金に換金可能な現金相当物について、前記活動単位への、交換希望が得られると、交換を希望する金額を前記分配価値総額に加えると共に、その時点で前記活動単位評価額算出部で計算されている前記活動単位の評価額に係る前記比率に応じて、交換希望が求められた金額を前記活動単位に換算し、該換算した活動単位を前記分配活動単位総数に加算する活動単位増加交換部をさらに備える請求項１又は請求項２に記載のＷＥＢサイトの管理用サーバ。
【請求項４】
前記実現価値記憶部は、  前記通信ネットワークを介して、前記ＷＥＢサイトにおける前記ユーザの活動履歴に基づいて作成される分析レポートの販売を示す情報を、前記販売の販売価格を示す情報と共に受け付けると、前記分析レポートの前記販売価格の少なくとも一部を前記実現価値として記憶する請求項１から請求項３のいずれかに記載のＷＥＢサイトの管理用サーバ。
【請求項５】
管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与ステップと、
前記実現価値記憶ステップで記憶した前記実現価値の集計値を計算し、分配価値総額を算出する分配価値総額算出ステップと、
前記活動単位付与ステップで付与した活動単位をそれまでの全ユーザの活動単位の集計値に加算し、分配活動単位総数を算出する分配活動単位総数算出ステップと、
記録して保持した前記活動単位の集計値に、前記活動単位付与ステップで付与した前記活動単位を加算して前記活動単位の集計値を更新することにより、分配活動単位総数を算出する分配活動単位総数算出ステップと、
前記分配価値総額に対する前記分配活動単位総数の比率により、前記活動単位の評価額を算出して記憶する活動単位評価額算出ステップと、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換ステップとを含み、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理方法。
【請求項６】
通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、当該広告の広告料の少なくとも一部を実現価値として記憶させる実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶させる活動単位付与ステップと、
前記実現価値記憶ステップで記憶した前記実現価値の集計値を計算し、分配価値総額を算出させる分配価値総額算出ステップと、
前記活動単位付与ステップで付与した活動単位をそれまでの全ユーザの活動単位の集計値に加算し、分配活動単位総数を算出する分配活動単位総数算出ステップと、
前記分配価値総額に対する前記分配活動単位総数の比率により、前記活動単位の評価額を算出して記憶させる活動単位評価額算出ステップと、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換ステップとを実行させ、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理プログラム。
【手続補正２】
【補正対象書類名】明細書
【補正対象項目名】００１２
【補正方法】変更
【補正の内容】
【００１２】
（１）  通信ネットワークを介して公衆からアクセス可能なユーザのＷＥＢページをまとめたＷＥＢサイトを管理するＷＥＢサイトの管理用サーバにおいて、
前記ユーザを識別するユーザ識別情報を記憶するユーザ識別情報記憶部と、
前記ＷＥＢサイトに設けられた広告の実施を示す情報を受け付けたことに応じて、当該広告の広告料の少なくとも一部を実現価値として記憶する実現価値記憶部と、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与部と、
前記実現価値記憶部で記憶した前記実現価値の集計値を計算し、分配価値総額を算出する分配価値総額算出部と、
前記活動単位付与部で付与した活動単位をそれまでの全ユーザの活動単位の集計値に加算し、分配活動単位総数を算出する分配活動単位総数算出部と、
前記分配価値総額に対する前記分配活動単位総数の比率により、前記活動単位の評価額を算出して記憶する活動単位評価額算出部と、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換部とを備え、
前記分配価値総額算出部、分配活動単位総数算出部、活動単位評価額算出部は、
前記通信ネットワークを介して、前記ＷＥＢサイトに係る前記ユーザの活動を示す情報を受信すると、それぞれ分配価値総額、分配活動単位総数、前記活動単位の評価額を算出するＷＥＢサイトの管理用サーバ。
【手続補正３】
【補正対象書類名】明細書
【補正対象項目名】００１３
【補正方法】変更
【補正の内容】
【００１３】
本発明のこのような構成を備えることにより、当該管理用サーバは、ＷＥＢサイトに係るユーザの活動に応じて、対応する活動単位を付与し、当該付与する際に算出した評価値に基づいて当該ＷＥＢサイトの広告料を確実にユーザに分配することができる。従って、当該ユーザは迅速に自らの活動に基づいて利益の配分を得て、以ってＷＥＢサイトの価値を向上する活動に対してインセンティブを得ることができる。またこのような構成を備えることにより、当該管理用サーバは、ユーザの希望に応じて、当該ユーザが所有する当該活動単位を現金相当物と交換する。このことにより、当該ユーザは、いつでも当該活動単位を現金相当物に交換できる安心感のもと、当該活動単位を増やし、あるいは価値を高める活動に専念することができる。さらに、当該ユーザは、現金相当物に交換するよりも、当該ＷＥＢサイトにおける自らの活動に応じて利得の期待できる当該活動単位のまま価値を増やすインセンティブを得ることができる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
（３）  前記通信ネットワークを介して、前記ユーザから、現金として使用可能又は現金に換金可能な現金相当物について、前記活動単位への、交換希望が得られると、交換を希望する金額を前記分配価値総額に加えると共に、その時点で前記活動単位評価額算出部で計算されている前記活動単位の評価額に係る前記比率に応じて、交換希望が求められた金額を前記活動単位に換算し、該換算した活動単位を前記分配活動単位総数に加算する活動単位増加交換部をさらに備える（１）又は（２）に記載のＷＥＢサイトの管理用サーバ。
【手続補正７】
【補正対象書類名】明細書
【補正対象項目名】００２０
【補正方法】変更
【補正の内容】
【００２０】
（４）  前記実現価値記憶部は、前記通信ネットワークを介して、前記ＷＥＢサイトにおける前記ユーザの活動履歴に基づいて作成される分析レポートの販売を示す情報を、前記販売の販売価格を示す情報と共に受け付けると、前記分析レポートの前記販売価格の少なくとも一部を前記実現価値として記憶する（１）から（３）のいずれかに記載のＷＥＢサイトの管理用サーバ。
【手続補正８】
【補正対象書類名】明細書
【補正対象項目名】００２２
【補正方法】変更
【補正の内容】
【００２２】
（５）  管理用サーバが、通信ネットワークを介して公衆からアクセス可能なユーザのＷＥＢページをまとめたＷＥＢサイトを管理する管理方法において、
前記管理用サーバが、前記ユーザを識別するユーザ識別情報を記憶するユーザ識別情報記憶ステップと、
前記ＷＥＢサイトに設けられた広告の実施を示す情報を受け付けたことに応じて、前記実施をした広告の広告料の少なくとも一部を実現価値として記憶する実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶する活動単位付与ステップと、
前記実現価値記憶ステップで記憶した前記実現価値の集計値を計算し、分配価値総額を算出する分配価値総額算出ステップと、
前記活動単位付与ステップで付与した活動単位をそれまでの全ユーザの活動単位の集計値に加算し、分配活動単位総数を算出する分配活動単位総数算出ステップと、
記録して保持した前記活動単位の集計値に、前記活動単位付与ステップで付与した前記活動単位を加算して前記活動単位の集計値を更新することにより、分配活動単位総数を算出する分配活動単位総数算出ステップと、
前記分配価値総額に対する前記分配活動単位総数の比率により、前記活動単位の評価額を算出して記憶する活動単位評価額算出ステップと、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換ステップとを含み、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理方法。
【手続補正９】
【補正対象書類名】明細書
【補正対象項目名】００２４
【補正方法】変更
【補正の内容】
【００２４】
（６）  通信ネットワークを介して公衆からアクセス可能なユーザのＷＥＢページをまとめたＷＥＢサイトの管理を管理用サーバに実行させる管理プログラムにおいて、
前記管理用サーバに、前記ユーザを識別するユーザ識別情報を記憶させるユーザ識別情報記憶ステップと、
前記ＷＥＢサイトに設けられた広告の実施を示す情報を受け付けたことに応じて、当該広告の広告料の少なくとも一部を実現価値として記憶させる実現価値記憶ステップと、
前記ＷＥＢサイトに係る前記ユーザの活動を示す情報を、前記通信ネットワークを介して受信すると、当該活動に応じた対応する活動単位を付与し、前記ユーザ識別情報に関連付けて記憶させる活動単位付与ステップと、
前記実現価値記憶ステップで記憶した前記実現価値の集計値を計算し、分配価値総額を算出させる分配価値総額算出ステップと、
前記活動単位付与ステップで付与した活動単位をそれまでの全ユーザの活動単位の集計値に加算し、分配活動単位総数を算出させる分配活動単位総数算出ステップと、
前記分配価値総額に対する前記分配活動単位総数の比率により、前記活動単位の評価額を算出して記憶させる活動単位評価額算出ステップと、
前記通信ネットワークを介して、前記ユーザから、前記ユーザ識別情報に関連付けて記憶した前記活動単位の一部又は全部について、現金として使用可能又は現金に換金可能な現金相当物への、交換希望が得られると、その時点で前記活動単位評価額算出部で計算されている前記活動単位の評価額に係る前記比率に応じて、交換希望が求められた前記活動単位を前記実現価値に換算し、該換算した実現価値を前記分配価値総額から減額すると共に、対応する前記交換希望が求められた活動単位を、前記分配活動単位総数から減算する活動単位減少交換ステップとを実行させ、
前記分配価値総額算出ステップ、分配活動単位総数算出ステップ、活動単位評価額算出ステップは、
前記通信ネットワークを介して、前記ＷＥＢサイトに係る前記ユーザの活動を示す情報を受信すると、それぞれ分配価値総額、分配活動単位総数、前記活動単位の評価額を算出する管理プログラム。